Podtech/llm-jp-corpus-v4-ja_patent huggingface dataset:
【手続補正書】
【提出日】令和3年9月2日(2021.9.2)
【手続補正１】
【補正対象書類名】特許請求の範囲
【補正対象項目名】全文
【補正方法】変更
【補正の内容】
【特許請求の範囲】
【請求項１】
センサ電極（１００）を備えた静電容量センサであって、前記センサ電極が、前記センサ電極（１００）への出力信号（５１２）を発生させる信号発生回路（５１０）に接続されており、前記センサ電極が、前記センサ電極（１００）からの入力信号（５２１）を評価する信号評価回路（５２０）にさらに接続されており、
信号発生器（２１０）を含む前記信号発生回路（５１０）が、ノイズ発生器、疑似ノイズ発生器、チャープ信号発生器または周波数掃引信号発生器のうちの１つであり、
前記信号評価回路（５２０）が、同期整流器（５２２）を含み、
前記同期整流器（５２２）が、第１のスイッチ（３２１）および第２のスイッチ（３２２）を含み、前記第１のスイッチ（３２１）および前記第２のスイッチ（３２２）が、前記信号発生器（２１０）に接続されており、かつ前記入力信号（５２１）と同相で交互にスイッチングするように構成されており、
前記信号発生回路（５１０）および前記信号評価回路（５２０）が、両方とも回路グラウンド（２９０）を基準としている、
静電容量センサ。
【請求項２】
前記同期整流器（５２２）は、前記第１のスイッチ（３２１）の出力に接続されている第１の入力ローパスフィルタ（３３１）と、前記第２のスイッチ（３２２）の出力に接続されている第２の入力ローパスフィルタ（３３２）と、前記第１の入力ローパスフィルタ（３３１）および第２の入力ローパスフィルタ（３３２）に接続されている前記差動増幅器（３４０）とを含む、請求項１記載の静電容量センサ。
【請求項３】
前記同期整流器（５２２）が、前記第１のスイッチ（３２１）の入力で接続されている反転増幅器（３４２）と、前記第１のスイッチ（３２１）および前記第２のスイッチ（３２２）の出力が組み合わされて入力に接続されている単一入力ローパスフィルタ（３３０）とを含む、請求項１または２記載の静電容量センサ。
【請求項４】
前記静電容量センサは、入力バンドパスフィルタ（３１０）と、前記同期整流器（５２２）の出力に接続されている１つのＡＤＣ（３９０）をさらに含み、
入力バンドパスフィルタ（３１０）が、前記同期整流器（５２２）の最も低い出力電圧と前記同期整流器（５２２）の最も高い出力電圧とを前記１つのＡＤＣ（３９０）のダイナミックレンジに収めるために、前記センサ電極（１００）からの前記入力信号（５２１）に直流バイアス電圧を加えるように構成されている、
請求項１から３までのいずれか１項記載の静電容量センサ。
【請求項５】
前記信号発生回路（５１０）が、前記信号発生器（２１０）と前記センサ電極（１００）との間に接続された出力バンドパスフィルタ（２３０）を含み、かつ／または前記信号発生回路（５１０）が、前記信号発生器（２１０）の後方に接続された出力増幅器（２２０）を含む、請求項１から４までのいずれか１項記載の静電容量センサ。
【請求項６】
前記信号評価回路（５２０）が、前記単一入力ローパスフィルタ（３３０）、および／または、入力分圧器を含む前記信号評価回路（５２０）に接続されている１つのＡＤＣ（３９０）を含む、請求項３記載の静電容量センサ。
【請求項７】
前記信号評価回路（５２０）が、前記第１の入力ローパスフィルタ（３３１）に接続された第１のＡＤＣ（３９１）と、前記第２の入力ローパスフィルタ（３３２）に接続された第２のＡＤＣ（３９２）とを含み、かつ／または前記信号評価回路（５２０）が、入力分圧器を含む、請求項２記載の静電容量センサ。
【請求項８】
前記静電容量センサは、入力バンドパスフィルタ（３１０）をさらに含み、前記入力バンドパスフィルタ（３１０）が、前記同期整流器（５２２）の最も低い出力電圧と前記同期整流器（５２２）の最も高い出力電圧とを前記第１のＡＤＣ（３９１）および／または前記第２のＡＤＣ（３９２）のダイナミックレンジに収めるために、前記センサ電極（１００）からの前記入力信号（５２１）に直流バイアス電圧を加えるように構成されている、請求項７記載の静電容量センサ。
【請求項９】
前記同期整流器（５２２）および好ましくは前記信号評価回路（５２０）が、前記１つのＡＤＣ（３９０）、または、前記第１のＡＤＣ（３９１）および前記第２のＡＤＣ（３９２）をさらに含むマイクロコントローラ（４００）の一部である、請求項６から８までのいずれか１項記載の静電容量センサ。
【請求項１０】
前記マイクロコントローラ（４００）が、前記信号発生回路（５１０）をさらに含む、請求項９記載の静電容量センサ。
【請求項１１】
前記第１のスイッチ（３２１）と、前記第２のスイッチ（３２２）とが、互いに接続されている入力を有する、請求項２から１０までのいずれか１項記載の静電容量センサ。
【請求項１２】
前記第１のスイッチ（３２１）および前記第２のスイッチ（３２２）が、ＳＰＤＴスイッチ（３２０）の一部である、請求項１１記載の静電容量センサ。
【請求項１３】
前記回路グラウンド（２９０）が、環境グラウンド（５８０）に接続されている、請求項１から１２までのいずれか１項記載の静電容量センサ。
【請求項１４】
前記第１のスイッチ（３２１）と、前記第２のスイッチ（３２２）とが、互いに接続されている入力を有し、前記第１のスイッチ（３２１）の出力が、前記第１の入力ローパスフィルタ（３３１）に接続されており、前記第２のスイッチ（３２２）の出力が、前記第２の入力ローパスフィルタ（３３２）に接続されている、請求項６記載の静電容量センサ。
【請求項１５】
前記静電容量センサが、第１のローパスフィルタ（３３１）と、第２のローパスフィルタ（３３２）と、第１のＡＤＣ（３９１）と、第２のＡＤＣ（３９２）とを含み、前記マイクロコントローラ（４００）が、前記第１のスイッチ（３２１）と、前記第２のスイッチ（３２２）と、前記第１のＡＤＣ（３９１）と、前記第２のＡＤＣ（３９２）と、差分計算器（３７０）とを含み、前記信号評価回路（５２０）が、前記マイクロコントローラ（４００）の外部の前記第１の入力ローパスフィルタ（３３１）に接続された前記第１のスイッチ（３２１）を含み、前記第１の入力ローパスフィルタ（３３１）が、前記第１の入力ＡＤＣ（３９１）にさらに接続されており、
前記信号評価回路（５２０）が、前記マイクロコントローラ（４００）の外部の第２の入力ローパスフィルタ（３３２）に接続された前記第２のスイッチ（３２２）を含み、前記第２の入力ローパスフィルタ（３３２）が、前記第２の入力ＡＤＣ（３９２）にさらに接続されており、
前記信号評価回路（５２０）が、前記第１のＡＤＣ（３９１）および前記第２のＡＤＣ（３９２）の前記出力を減算する差分計算器（３７０）を含む、
請求項１記載の静電容量センサ。
【請求項１６】
前記センサが、センサハウジング表面の大部分を覆うセンサ電極を含む、請求項１５記載の静電容量センサ。
【請求項１７】
前記センサハウジングの最大拡張部分が１５ｃｍ未満である、請求項１６記載の静電容量センサ。
【手続補正書】
【提出日】令和3年5月18日(2021.5.18)
【手続補正１】
【補正対象書類名】特許請求の範囲
【補正対象項目名】全文
【補正方法】変更
【補正の内容】
【特許請求の範囲】
【請求項１】
コンピュータ・システムであって、
メモリに動作可能に結合されている処理ユニットと、
前記処理ユニットと通信する知識エンジンであって、
構造化データ、非構造化データ、およびこれらの組合せから成る群から選択されるデータから、データおよびデータ関係を抽出することと、
抽出された前記データおよび前記データ関係のエントリを知識グラフ（ＫＧ）内に作成し、記憶されている前記データへの信憑値の割り当てを含め、抽出された前記データおよび前記データ関係を選択的に前記ＫＧ内に記憶することと、
前記ＫＧに対応するブロックチェーン（ＢＣ）台帳内にアセット値エントリを作成することであって、前記アセット値エントリは、割り当てられた前記信憑値を含む、前記アセット値エントリを作成することと、
前記ＢＣ台帳エントリに対応するＢＣ識別子を作成することと、
作成された前記ＢＣ識別子を、前記ＫＧエントリとともに記憶することと
を含む、データを管理することと、
前記ＢＣ識別子を利用して選択データの来歴を判定し、前記データを定量化することを含め、前記ＫＧ内に記憶されている前記選択データを評価することと、
評価された前記データのリストを生成し、割り当てられた前記信憑値に基づいて、生成された前記リスト内の前記データをソートすることと
を行うための、前記知識エンジンと
を備え、
ソートされた前記リストから、最も強い信憑性スコアを有するデータ要素が返される、コンピュータ・システム。
【請求項２】
前記知識エンジンが、
前記ＫＧ内に第１のパーティションを作成し、前記第１のパーティション内の第１のデータに第１の信頼度値をデータ投入し、割り当てることと、
前記ＫＧ内に第２のパーティションを作成し、前記第２のパーティション内の第２のデータに、前記第１の信頼度値とは異なる第２の信頼度値をデータ投入し、割り当てることとを行うことをさらに行う、請求項１に記載のシステム。
【請求項３】
前記知識エンジンが、前記第１のデータと前記第２のデータとの比較を含め、前記ＫＧ内での信憑性評価を自動的に実施することをさらに行う、請求項２に記載のシステム。
【請求項４】
前記知識エンジンが、第２のＫＧ内のデータ要素と第１のＫＧ内のデータ要素とを比較および評価し、信頼度、フィードバック、およびこれらの組合せから成る群から選択される値に基づいて、データ要素を選択的に置換することを含め、２つの知識グラフ間にリンクを確立することをさらに行う、請求項１に記載のシステム。
【請求項５】
前記知識エンジンが、前記第１のＫＧと前記第２のＫＧとの間の前記リンクの確立後に、前記ＫＧの構造を一定に維持することをさらに行う、請求項４に記載のシステム。
【請求項６】
前記データは、前記ＫＧ内のノード内に記憶され、前記関係は、２つのノードを接続するエッジとして表現され、各ノードは、ノード・レベル信憑値を有し、各関係は、関係信憑値を有し、前記関係値は、前記関係内の前記ノードの前記信憑値に基づいて計算される、請求項１に記載のシステム。
【請求項７】
自然言語を処理するためのコンピュータ・プログラムであって、処理ユニットに、
知識グラフ（ＫＧ）内にデータを記憶することであって、
構造化データ、非構造化データ、およびこれらの組合せから成る群から選択されるデータから、データおよびデータ関係を抽出することと、
前記ＫＧ内にエントリを作成し、記憶されている前記データへの信憑値の割り当てを含め、抽出された前記データおよび前記データ関係を選択的に前記ＫＧ内に記憶することと、
前記ＫＧに対応するブロックチェーン（ＢＣ）台帳内にアセット値エントリを作成することであって、前記アセット値エントリは、割り当てられた前記信憑値を含む、前記アセット値エントリを作成することと、
前記ＢＣ台帳エントリに対応するＢＣ識別子を作成することと、
作成された前記ＢＣ識別子を、前記ＫＧエントリとともに記憶することと
を含む、ＫＧ内にデータを記憶することと、
前記ＢＣ識別子を利用して選択データの来歴を判定し、前記データを定量化することを含め、前記ＫＧ内に記憶されている前記選択データを評価することと、
評価された前記データのリストを生成し、割り当てられた前記信憑値に基づいて、生成された前記リスト内の前記データをソートすることと、
結果を生成することであって、前記結果は、ソートされた前記リストから返される、最も強い信憑性スコアを有するデータ要素であるデータ要素である、前記結果を生成することと
を実行させるためのコンピュータ・プログラム。
【請求項８】
自然言語を処理するコンピュータ実施方法であって、
知識グラフ（ＫＧ）内にデータを記憶することであって、
構造化データ、非構造化データ、およびこれらの組合せから成る群から選択されるデータから、データおよびデータ関係を抽出することと、
前記ＫＧ内にエントリを作成し、記憶されている前記データへの信憑値の割り当てを含め、抽出された前記データおよび前記データ関係を選択的に前記ＫＧ内に記憶することと、
前記ＫＧに対応するブロックチェーン（ＢＣ）台帳内にアセット値エントリを作成することであって、前記アセット値エントリは、割り当てられた前記信憑値を含む、前記アセット値エントリを作成することと、
前記ＢＣ台帳エントリに対応するＢＣ識別子を作成することと、
作成された前記ＢＣ識別子を、前記ＫＧエントリとともに記憶することと
を含む、ＫＧ内にデータを記憶することと、
前記ＢＣ識別子を利用して選択データの来歴を判定し、前記データを定量化することを含め、前記ＫＧ内に記憶されている前記選択データを評価することと、
評価された前記データのリストを生成し、割り当てられた前記信憑値に基づいて、生成された前記リスト内の前記データをソートすることと
を含み、
ソートされた前記リストから、最も強い信憑性スコアを有するデータ要素が返される、コンピュータ実施方法。
【手続補正書】
【提出日】令和3年5月31日(2021.5.31)
【手続補正１】
【補正対象書類名】特許請求の範囲
【補正対象項目名】全文
【補正方法】変更
【補正の内容】
【特許請求の範囲】
【請求項１】
骨粗鬆症に罹患している若しくは骨粗鬆症のリスクのある被験者又は長期療法を必要とする被験者のがんの治療、改善、又は予防のための医薬組成物であって、
ポリ（ＡＤＰ−リボース）ポリメラーゼ１（ＰＡＲＰ１）へのＤＮＡ結合の選択的阻害剤又はその薬学的に許容できる塩若しくは溶媒和物を含み、
阻害剤がＰＡＲＰ１のジンクフィンガーの阻害剤であり、並びに、
被験者が、閉経後の女性、４５歳までに子宮摘出をしている女性、過度の運動若しくは過度の食事制限の結果６ヵ月間より長く無月経である女性、又は性腺機能低下症に罹患している男性である場合、被験者は骨粗鬆症のリスクがあると考えられ、並びに／或いは、
がんは乳がん、骨髄腫又は子宮頸がんであり、かつ、被験者が維持療法を受けている場合、被験者は長期療法を必要とすると考えられる、
医薬組成物。
【請求項２】
被験者が、閉経後の女性、４５歳までに子宮摘出をしている女性、過度の運動若しくは過度の食事制限の結果６ヵ月間より長く無月経である女性、又は性腺機能低下症に罹患している男性である、請求項１に記載の医薬組成物。
【請求項３】
被験者がリューマチ性関節炎に罹患している、請求項１又は２に記載の医薬組成物。
【請求項４】
がんが固形腫瘍又は固形がんである、請求項１〜３のいずれか一項に記載の医薬組成物。
【請求項５】
がんが、血液がん、腸がん、脳がん、乳がん、子宮頸がん、子宮内膜がん、胃がん、肝臓がん、肺がん、卵巣がん、膵臓がん、前立腺がん、又は皮膚がんである、請求項１〜４のいずれか一項に記載の医薬組成物。
【請求項６】
がんが、乳がん、前立腺がん、骨髄腫、又は子宮頸がんである、請求項５に記載の医薬組成物。
【請求項７】
阻害剤が金錯体である、請求項１〜６のいずれか一項に記載の医薬組成物。
【請求項８】
阻害剤が金（Ｉ）錯体である、請求項７に記載の医薬組成物。
【請求項９】
阻害剤が水溶性高分子錯体である、請求項１〜８のいずれか一項に記載の医薬組成物。
【請求項１０】
阻害剤が式Ｉ、若しくは式ＩＩ
【化１】
2021510677.tif 000001
の化合物又はその薬学的に許容できる塩及び／若しくは溶媒和物である、請求項１〜９のいずれか一項に記載の医薬組成物。
【請求項１１】
前記阻害剤が式ＩＩａ
【化２】
2021510677.tif 000002
の化合物又はその薬学的に許容できる塩及び／若しくは溶媒和物である、請求項１０に記載の医薬組成物。
【請求項１２】
前記阻害剤が金チオリンゴ酸ナトリウム、金チオリンゴ酸カリウム、又は金チオリンゴ酸カルシウムである、請求項１０に記載の医薬組成物。
【請求項１３】
前記阻害剤が式Ｉａ
【化３】
2021510677.tif 000003
の化合物又はその薬学的に許容できる溶媒和物である、請求項１２に記載の医薬組成物。
【請求項１４】
前記阻害剤がＤＮＡを損傷する薬剤と組み合わせて使用される、請求項１〜１３のいずれか一項に記載の医薬組成物。
【請求項１５】
前記阻害剤が毛細血管拡張性失調症変異及びｒａｄ３関連プロテインキナーゼ（ＡＴＲ）阻害剤、チェックポイント阻害剤、血管内皮増殖因子（ＶＥＧＦ）阻害剤、又はｗｅｅ１阻害剤と組み合わせて使用される、請求項１４に記載の医薬組成物。
【請求項１６】
前記チェックポイント阻害剤が、プログラム細胞死タンパク質１（ＰＤ−１）阻害剤、プログラム細胞死リガンド１（ＰＤ−Ｌ１）阻害剤、又は細胞障害性Ｔ−リンパ球関連タンパク質４（ＣＴＬＡ−４）阻害剤である、請求項１５に記載の医薬組成物。
【手続補正書】
【提出日】令和3年9月27日(2021.9.27)
【手続補正１】
【補正対象書類名】特許請求の範囲
【補正対象項目名】全文
【補正方法】変更
【補正の内容】
【特許請求の範囲】
【請求項１】
肺ルートを介しての肺への直接投与による、うつ病の処置の方法における使用のための、ケタミンまたはその薬学的に許容し得る塩を含む乾燥粉末医薬組成物。
【請求項２】
乾燥粉末医薬組成物として肺ルートにより投与される、うつ病の処置の方法における使用のための、ケタミンまたはその薬学的に許容し得る塩。
【請求項３】
薬学的に許容し得る塩が、塩酸塩である、請求項１または２に記載の使用のための組成物またはケタミン。
【請求項４】
ケタミンが、エスケタミン塩酸塩である、請求項１〜３のいずれか一項に記載の使用のための組成物またはケタミン。
【請求項５】
組成物が、名目上の単位用量当たりの遊離塩基として算出される２ｍｇ〜１００ｍｇまでの微粉化ケタミンを含む、請求項１〜４のいずれか一項に記載の使用のための組成物またはケタミン。
【請求項６】
組成物が、名目上の単位用量当たりの遊離塩基として算出される２ｍｇ〜４０ｍｇまでの微粉化ケタミンを含む、請求項５に記載の使用のための組成物またはケタミン。
【請求項７】
組成物が、名目上の単位用量当たりの遊離塩基として算出される４ｍｇの微粉化エスケタミンを含む、請求項６に記載の使用のための組成物またはケタミン。
【請求項８】
組成物が、組成物の総重量に関して、３０〜９５重量％の量における炭水化物増量剤および０．２〜３重量％の量における安定化剤からなる群から選択される１以上の添加剤を含む、請求項１〜７のいずれか一項に記載の使用のための組成物またはケタミン。
【請求項９】
組成物が、レーザー回折技法によって測定される、１〜１０μｍのメジアン粒子径ｄ５０、０．２〜５μｍのｄ１０および３〜３５μｍのｄ９０を有するケタミンを含む、請求項１〜８のいずれか一項に記載の使用のための組成物またはケタミン。
【請求項１０】
組成物が、１．２ｍｇのケタミン塩酸塩に対応する、遊離塩基として算出される少なくとも１．０ｍｇのケタミンの放出される用量を提供する、請求項５〜９のいずれか一項に記載の使用のための組成物またはケタミン。
【請求項１１】
肺へ送達される放出される用量の画分が、少なくとも４０％である、請求項１０に記載の使用のための組成物またはケタミン。
【請求項１２】
肺ルートを介しての投与のための組成物が、予め計量され、および個々に密封された複数の個々の名目上の単位用量を有するブリスター中に含まれる、請求項１〜１１のいずれか一項に記載の使用のための組成物またはケタミン。
【請求項１３】
肺ルートを介しての投与のための薬が、単回の名目上の単位用量を有するカプセル中に含まれる、請求項１〜１１のいずれか一項の記載の使用のための組成物またはケタミン。
【請求項１４】
肺ルートを介しての投与のための薬が、多用量粉末リザーバ中に含まれる、請求項１〜１１のいずれか一項に記載の使用のための組成物またはケタミン。
【請求項１５】
ケタミン、好ましくはエスケタミンが、乾燥粉末ケタミン組成物または製剤の複数の単回用量からなる一連の投与、例えば１、２、３または４パフなどの複数のパフ、好ましくは３または４パフからなる各単回用量の少なくとも３単回用量のひと続きなどであって、前記ひと続きがいずれの吸入も伴わない休止期間によって互いに分離される、の吸入によって患者により肺に自己投与される、請求項１〜１４のいずれか一項に記載の使用のための組成物またはケタミン。
【請求項１６】
投与が、３０分間で３または４パフからなるエスケタミン３単回用量からなるひと続きを含み、単回用量は１５分の休止期間によって分離され、ここで各パフが、乾燥粉末組成物または製剤において４ｍｇのエスケタミンの名目上の用量に対応する、請求項１５に記載の使用のための組成物またはケタミン。
【請求項１７】
ケタミンまたはその薬学的に許容し得る塩が、吸入可能な乾燥粉末医薬製剤として肺ルートによって対象に投与される、その対象におけるうつ病の処置のための医薬組成物の調製のためのケタミンまたはその薬学的に許容し得る塩の使用。
【請求項１８】
ケタミンの薬学的に許容し得る塩が、塩酸塩である、請求項１６に記載の使用。
【請求項１９】
ケタミンが、エスケタミン塩酸塩である、請求項１７または１８に記載の使用。
【請求項２０】
組成物が、名目上の単位用量当たりの遊離塩基として算出される２ｍｇ〜１００ｍｇまでの微粉化ケタミンを含む、請求項１７〜１９のいずれか一項に記載の使用。
【請求項２１】
組成物が、名目上の単位用量当たりの遊離塩基として算出される２ｍｇ〜４０ｍｇの微粉化ケタミンを含む、請求項２０に記載の使用。
【請求項２２】
組成物が、名目上の単位用量当たりの遊離塩基として算出される４ｍｇの微粉化エスケタミンを含む、請求項２１に記載の使用。
【請求項２３】
組成物が、組成物の総重量に関して、３０〜９５重量％の量における炭水化物増量剤および０．２〜３重量％の量における安定化剤からなる群から選択される１以上の添加剤を含む、請求項１７〜２２のいずれか一項に記載の使用。
【請求項２４】
組成物が、レーザー回折技法によって測定される、１〜１０μｍのメジアン粒子径ｄ５０、０．２〜５μｍのｄ１０および３〜３５μｍのｄ９０を有するケタミンを含む、請求項１７〜２３のいずれか一項に記載の使用。
【請求項２５】
組成物が、１．２ｍｇのケタミン塩酸塩に対応する、遊離塩基として算出される少なくとも１．０ｍｇのケタミンの放出される用量を提供する、請求項２０〜２４のいずれか一項に記載の使用。
【請求項２６】
肺へ送達される放出される用量の画分が、少なくとも４０％である、請求項２５に記載の使用。
【請求項２７】
肺ルートを介しての投与のための組成物が、予め計量され、および個々に密封された複数の個々の名目上の単位用量を有するブリスター中に含まれる、請求項１７〜２６のいずれか一項に記載の使用。
【請求項２８】
肺ルートを介しての投与のための薬が、単回の名目上の単位用量を有するカプセル中に含まれる、請求項１７〜２６のいずれか一項の記載の使用。
【請求項２９】
肺ルートを介しての投与のための薬が、多用量粉末リザーバ中に含まれる、請求項１〜２６のいずれか一項に記載の使用。
【請求項３０】
ケタミン、好ましくはエスケタミンが、乾燥粉末ケタミン組成物または製剤の複数の単回用量からなる一連の投与、例えば１、２、３または４パフなどの複数のパフ、好ましくは３または４パフからなる各単回用量の少なくとも３単回用量のひと続きなどであって、前記ひと続きがいずれの吸入も伴わない休止期間によって互いに分離される、の吸入によって患者により肺に自己投与される、請求項１〜２９のいずれか一項に記載の使用。
【請求項３１】
投与が、３０分間で３または４パフからなる３エスケタミン単回用量を含み、単回用量が１５分の休止期間によって分離され、ここで各パフが、乾燥粉末組成物または製剤において４ｍｇのエスケタミンの名目上の用量に対応する、請求項３０に記載の使用。
【手続補正書】
【提出日】令和3年9月6日(2021.9.6)
【手続補正１】
【補正対象書類名】特許請求の範囲
【補正対象項目名】全文
【補正方法】変更
【補正の内容】
【特許請求の範囲】
【請求項１】
バルーンカテーテルのバルーンをコーティングする方法であって、
前記バルーンの表面が、多糖を含む第１の溶液によって少なくとも部分的に湿潤され、
前記第１の溶液で湿潤された前記バルーン表面の部分が、活性物質を含む少なくとも１種類の第２の溶液で湿潤され、
前記バルーンの前記表面が、多糖を含む第１の溶液で少なくとも部分的に湿潤される前に、活性物質を含む基準溶液で少なくとも部分的に湿潤されることを特徴とする、
方法。
【請求項２】
前記第２の溶液により前記活性物質で湿潤された前記バルーンの表面の部分が、水および／または少なくとも１種類のアルコールを含むさらなる液体で再び湿潤されることを特徴とする、請求項１に記載の方法。
【請求項３】
前記水および／または少なくとも１種類のアルコールを含む液体が、アルコールおよび／またはケトンを含むことを特徴とする、請求項２に記載の方法。
【請求項４】
前記液体中の前記アルコールおよび／またはケトンの濃度が、１０〜７０％（ｖ／ｖ）の範囲であることを特徴とする、請求項２または３に記載の方法。
【請求項５】
前記液体が、エタノール、メタノール、アセトンおよび／またはイソプロパノールを含むことを特徴とする、請求項３または４に記載の方法。
【請求項６】
前記第１の溶液および／または前記第２の溶液が、１種類または数種類のアルコールを含むことを特徴とする、請求項１〜５のいずれか１項に記載の方法。
【請求項７】
前記第１の溶液および／または前記第２の溶液が、エタノール、メタノール、および／またはイソプロパノールを含むことを特徴とする、請求項６に記載の方法。
【請求項８】
前記多糖の平均モル質量が、１０，０００〜１００，０００，０００Ｄａの量であることを特徴とする、請求項１〜７のいずれか１項に記載の方法。
【請求項９】
前記多糖の平均モル質量が、２０，０００〜８０，０００Ｄａの量であることを特徴とする、請求項８に記載の方法。
【請求項１０】
前記多糖が水溶性であることを特徴とする、請求項１〜９のいずれか１項に記載の方法。
【請求項１１】
前記多糖がデキストランであることを特徴とする、請求項１〜１０のいずれか１項に記載の方法。
【請求項１２】
前記使用される活性物質が、以下の群：トレチノイン、オーファン受容体作用薬、エラフィン誘導体、コルチコステロイド、ステロイドホルモン、パクリタキセル、ラパマイシン、タクロリムス、疎水性タンパク質および／または細胞増殖を修飾する物質
から選択される、疎水性の活性物質であることを特徴とする、請求項１〜１１のいずれか１項に記載の方法。
【請求項１３】
バルーンカテーテルのバルーンであって、その表面が、請求項１〜１２のいずれか１項に記載の方法により得られる活性物質を含むコーティングを少なくとも部分的に備える、バルーン。
【請求項１４】
請求項１３に記載のバルーンを備えるバルーンカテーテル。
【請求項１５】
前記多糖が、前記バルーンの表面上に提供され、前記活性物質が、前記多糖を少なくとも部分的に被覆することを特徴とする、請求項１４に記載のバルーンカテーテル。
【手続補正書】
【提出日】令和2年7月16日(2020.7.16)
【手続補正１】
【補正対象書類名】特許請求の範囲
【補正対象項目名】全文
【補正方法】変更
【補正の内容】
【特許請求の範囲】
【請求項１】
パワースカイビング工具(１０)であって、
工具(１０)の長手方向軸(１４)に沿って延びるシャンク(１２)と、シャンク(１２)の前端部に配置された切削ヘッド(１６)を備え、
切削ヘッド(１６)は、円周方向に配置された複数の歯(１８)を備え、これらの歯(１８)の各々はシャンク(１２)の反対側を向く切削ヘッド(１６)の前端部に平坦なすくい面(２０)を備え、
すくい面(２０)は長手方向軸(１４)に対して９０°以外の角度で傾斜し、２つの隣接する歯(１８)のすくい面(２０)の間に移行面(２２)が配置され、移行面(２２)は切削ヘッド(１８)の前端部にも配置され、２つの隣接する歯(１８)のすくい面(２０)に直接隣接し、
移行面(２２)の全ての点において、表面法線(２３)が２つの隣接する歯(１８)のすくい面(２０)と０°より大きい角度(β)を形成する、パワースカイビング工具(１０)。
【請求項２】
移行面(２２)の全ての点における表面法線(２３)は、２つの隣接する歯(１８)のすくい面(２０)と１０°より大きい角度(β)を形成する、請求項１に記載のパワースカイビング工具。
【請求項３】
移行面(２２)は、少なくとも１つの凹面部(２８)を備える、請求項１又は２に記載のパワースカイビング工具。
【請求項４】
移行面(２２)は、凸面部(３０)を備える、請求項１乃至３の何れかに記載のパワースカイビング工具。
【請求項５】
移行面(２２)は、平坦な表面部(３２)を備える、請求項１乃至４の何れかに記載のパワースカイビング工具。
【請求項６】
移行面(２２)は、凹面部(２８)と平坦な表面部(３２)を備え、平坦な表面部(３２)は、凹面部(２８)に直接隣接している、請求項１に記載のパワースカイビング工具。
【請求項７】
移行面(２２)は、凹面部(２８)と平坦な表面部(３２)と凸面部(３０)とを備え、平坦な表面部(３２)は、凹面部(２８)と凸面部(３０)の間に配置されている、請求項１に記載のパワースカイビング工具。
【請求項８】
凹面部(２８)は隣接する２つの歯(１８)の一方のすくい面(２０)に隣接し、凸面部(３０)は隣接する２つの歯(１８)の他方のすくい面(２０)に隣接する、請求項７に記載のパワースカイビング工具。
【請求項９】
平坦な表面部(３２)は、２つの隣接する歯(１８)のすくい面(２０)の１つに直接隣接する、請求項５又は６に記載のパワースカイビング工具。
【請求項１０】
移行面(２２)は、凹面部(２８)及び凸面部(３０)を備え、
凹面部(２８)は隣接する２つの歯(１８)の一方のすくい面(２０)に隣接し、凸面部(３０)は隣接する２つの歯(１８)の他方のすくい面(２０)に隣接する、請求項１に記載のパワースカイビング工具。
【請求項１１】
凹面部(２８)は凸面部(３０)に直接結合する、請求項１０に記載のパワースカイビング工具。
【請求項１２】
各々の歯(１８)は、鋭角で半径方向外向きに先細になっている、請求項１乃至１１の何れかに記載のパワースカイビング工具。
【請求項１３】
各歯(１８)は円周方向に配置された逃げ面(２６)を含み、該逃げ面(２６)は長手方向軸(１４)に対して斜めを向いている、請求項１乃至１２の何れかに記載のパワースカイビング工具。
【請求項１４】
切削ヘッド(１６)は、シャンク(１２)に取り外し可能に取り付けられる、請求項１乃至１３の何れかに記載のパワースカイビング工具。
【請求項１５】
シャンク(１２)は鋼で作られ、切削ヘッド(１６)の歯(１８)は炭化物で作られている、請求項１乃至１４の何れかに記載のパワースカイビング工具。
【手続補正２】
【補正対象書類名】図面
【補正対象項目名】図５
【補正方法】変更
【補正の内容】
【図５】
2021510638.tif 000001
【手続補正３】
【補正対象書類名】図面
【補正対象項目名】図６
【補正方法】変更
【補正の内容】
【図６】
2021510638.tif 000002
【手続補正４】
【補正対象書類名】図面
【補正対象項目名】図７
【補正方法】変更
【補正の内容】
【図７】
2021510638.tif 000003
【手続補正５】
【補正対象書類名】図面
【補正対象項目名】図８
【補正方法】変更
【補正の内容】
【図８】
2021510638.tif 000004
【手続補正書】
【提出日】令和3年11月5日(2021.11.5)
【手続補正１】
【補正対象書類名】特許請求の範囲
【補正対象項目名】全文
【補正方法】変更
【補正の内容】
【特許請求の範囲】
【請求項１】
一般式(I):
【化１】
2021510176.tif 000001
(式中、
R1は、OCH2CH2OCH3又はOCH3であり、
R'1は、H又はOHであり、
R2は、Cl、F、Br又はIであり、
ただし、
R1がOCH2CH2OCH3である場合、R'1はHであり、
R1がOCH3である場合、R'1はOHである)
の化合物、またはその薬学的に許容される塩及び/又はその光学異性体、互変異性体、溶媒和物若しくは同位体変種である化合物。
【請求項２】
R2がClである、請求項1に記載の化合物。
【請求項３】
7-クロロ-N-(4-(2-メトキシエトキシ)フェニル)キノリン-4-アミン
である、請求項1又は2に記載の化合物。
【請求項４】
7-クロロ-N-(3-(ヒドロキシ)-4-(メトキシ)フェニル)キノリン-4-アミン
である、請求項1又は2に記載の化合物。
【請求項５】
がんの処置に使用するための、請求項1から4のいずれか一項に記載の化合物。
【請求項６】
前記がんが固形腫瘍がんである、請求項5に記載の使用のための化合物。
【請求項７】
前記がんが黒色腫、結腸がん、肺がん、膵臓がん、腎臓がん、メルケルがん、有棘細胞がん、前立腺がん、乳がん及び膀胱がんから選択される、請求項5または6に記載の使用のための化合物。
【請求項８】
請求項1から4のいずれか一項に記載の化合物と、
任意選択で、少なくとも1種の薬学的に許容される担体と
を含む、医薬組成物。
【請求項９】
前記化合物が7-クロロ-N-(4-(2-メトキシエトキシ)フェニル)キノリン-4-アミンである、請求項8に記載の医薬組成物。
【請求項１０】
前記化合物が7-クロロ-N-(3-(ヒドロキシ)-4-(メトキシ)フェニル)キノリン-4-アミンである、請求項8に記載の医薬組成物。
【請求項１１】
少なくとも1種の免疫調節化合物であって、好ましくは免疫調節抗体であり、更により好ましくは抗PD1抗体、抗CTLA4抗体、抗PD-L1抗体及びこれらの2種以上の混合物から選択される抗体である、前記免疫調節化合物、並びに/又は
少なくとも1種の別の治療的処置薬
を追加で含む、請求項8から10のいずれか一項に記載の医薬組成物。
【請求項１２】
治療的処置薬が、抗がん剤、ニトロソウレアアルキル化剤、BRAF阻害剤、MEK阻害剤、抗PD1融合タンパク質、養子細胞療法薬、治療用がんワクチン、T/NK細胞活性化剤から選ばれる、請求項11に記載の医薬組成物。
【請求項１３】
がんの処置における、同時、個別又は逐次使用のための組み合わせ調製物としての、請求項8から12のいずれか一項に記載の医薬組成物。
【請求項１４】
前記がんが固形腫瘍がんである、請求項13に記載の使用のための医薬組成物。
【請求項１５】
前記がんが黒色腫、結腸がん、肺がん、膵臓がん、腎臓がん、メルケルがん、有棘細胞がん、前立腺がん、乳がん及び膀胱がんから選択される、請求項13または14に記載の使用のための医薬組成物。
【手続補正書】
【提出日】令和3年6月23日(2021.6.23)
【手続補正１】
【補正対象書類名】特許請求の範囲
【補正対象項目名】全文
【補正方法】変更
【補正の内容】
【特許請求の範囲】
【請求項１】
各々少なくとも１つのポンプロータ（８）を支持する２つの軸（６，７）と、
前記２つの軸（６，７）の１つを回転させるように構成された同期電動機（９）とを備えた、ドライ真空ポンプ（１；３０）であって、
前記ポンプロータ（８）は、前記真空ポンプ（１；３０）の吸気口（４）から排気口（５）に移送されるガスを搬送するために同期して逆回転するように構成されており、
前記同期電動機（９）は、
前記軸（６）の１つに連結された回転子（１０）と、
第１の巻線（１３）が前記回転子（１０）の周りに配置された第１の固定子（１２）とを備え、
前記同期電動機（９）は、第２の巻線（１５）が前記回転子（１０）の周りに配置された少なくとも１つの第２の固定子（１４）を備えており、
前記同期電動機（９）のパワーを前記真空ポンプのポンプ負荷に適合させるために、前記第１の固定子の前記第１の巻線、及び前記第２の固定子（１２，１４）の前記第２の巻線（１３，１５）は、個別に又は同時に電力が供給されるように構成されており、
前記第１、第２の固定子の前記第１の巻線及び前記第２の巻線は、
前記真空ポンプの前記ポンプ負荷が負荷閾値を下回ったときに個別に供給され、そして、前記真空ポンプの前記ポンプ負荷が前記負荷閾値以上のときに同時に供給されるように構成されていることを特徴とする真空ポンプ。
【請求項２】
請求項１に記載の真空ポンプ（１；３０）において、
前記第１の固定子（１２）によって生成される前記パワーと前記第２の固定子（１４）によって生成される前記パワーとのパワー比は、１〜１０の間であることを特徴とする真空ポンプ。
【請求項３】
請求項１又は２のいずれかに記載の真空ポンプ（１）において、
前記真空ポンプは、直列に取り付けられた複数のポンプステージ（Ｔ１−Ｔ５）を含む粗引き真空ポンプ（１）であり、前記第１の固定子  （１２）によって生成される前記パワーと前記第２の固定子（１４）によって生成される前記パワーとの前記パワー比は、１〜５であることを特徴とする真空ポンプ。
【請求項４】
請求項１又は２のいずれか１項に記載の真空ポンプ（３０）において、
前記真空ポンプ（１）は、ルーツタイプの真空ポンプ（３０）であり、前記真空ポンプは、チャンバ（２）に直列に、かつ粗引き真空ポンプ（３１）の上流に接続されるように構成されていることを特徴とする真空ポンプ。
【請求項５】
請求項１乃至４のいずれか１項に記載の真空ポンプ（１；３０）において、
前記回転子（１０）は永久磁石（１１）を含むことを特徴とする真空ポンプ。
【請求項６】
請求項５に記載の真空ポンプ（１；３０）において、
前記回転子（１０）の少なくとも１つの前記永久磁石（１１）は、前記回転子（１０）に沿って整列された複数の永久磁石要素（２５）によって形成されていることを特徴とする真空ポンプ。
【請求項７】
請求項６に記載の真空ポンプ（１；３０）において、
前記回転子（１０）の前記永久磁石要素（２５）は、前記巻線（１３、１５）を有する前記固定子（１２、１４）に面する前記回転子（１０）内にのみ延びていることを特徴とする真空ポンプ。
【請求項８】
請求項１乃至７のいずれか１項に記載の真空ポンプ（１；３０）において、
前記巻線（１３）で前記第１の固定子（１２）に接続された第１の速度可変装置（２３）と、前記巻線（１５）で前記第２の固定子（１４）に接続された第２の速度可変装置（２４）とを備えていることを特徴とする真空ポンプ。
【請求項９】
請求項１乃至８のいずれか１項に記載の真空ポンプ（１；３０）において、
前記ポンプ負荷を表す少なくとも１つの信号の関数として、前記同期電動機（９）の前記パワーを前記ポンプ負荷に適合させるために、前記固定子（１２、１４）の前記巻線（１３、１５）に個別に、又は同時に供給するように構成された速度可変装置（２３、２４）に接続された制御ユニット（１８）を備えていることを特徴とする真空ポンプ。
【請求項１０】
請求項８乃至９のいずれか１項に記載の真空ポンプ（１；３０）において、
前記ポンプ負荷を表す信号は、前記真空ポンプ（１；３０）によって消費される電流を表する前記速度可変装置（２３、２４）の１つの電流制限出力であることを特徴とする真空ポンプ。
【請求項１１】
前記真空ポンプ（１；３０）に接続されたチャンバ（２）をポンプするために、請求項１〜１０のいずれか１項に記載のドライ真空ポンプ（１；３０）の同期電動機（９）を制御する方法（１００）であって、
前記固定子（１２、１４）の前記巻線（１３、１５）は、前記真空ポンプ（１；３０）のポンプ負荷が負荷閾値を下回ったときに個別に供給され、
そして、
前記ポンプ負荷を表す少なくとも１つの信号の関数として、前記同期電動機のパワーを前記ポンプ負荷に適合させるために、前記真空ポンプの前記ポンプ負荷が前記閾値を下回っている場合、前記固定子の複数の巻線は個別に供給され、前記真空ポンプの前記ポンプ負荷が前記閾値を超えると、前記複数の巻線は同時に供給されることを特徴とする同期電動機を制御する方法。
【請求項１２】
請求項１１に記載の同期電動機を制御する方法（１００）であって、
前記２つの固定子のうち最も強力なもの（１４）、又は両方の固定子（１２、１４）は、前記真空ポンプの始動時に供給されるか（１；３０）、又は大気圧から開始される吐出ステップ（１０１）であることを特徴とする同期電動機を制御する方法。
【請求項１３】
請求項１１又は１２に記載の同期電動機を制御する方法（１００）であって、
大気圧から開始される前記吐出ステップ（１０１）、及び、到達真空度ポンプステップ（１０２）は、前記チャンバ（２）の内部で周期的に発生することを特徴とする同期電動機を制御する方法。
【手続補正書】
【提出日】令和3年11月12日(2021.11.12)
【手続補正１】
【補正対象書類名】特許請求の範囲
【補正対象項目名】全文
【補正方法】変更
【補正の内容】
【特許請求の範囲】
【請求項１】
ＡＭ機に、容器が構造及び融解粉末を含むように、粉末を融解することによって前記容器および前記構造を造形するステップを含む製造方法。
【請求項２】
前記容器は、カプセルである請求項１に記載の製造方法。
【請求項３】
前記容器は、基部から上昇するにつれて互いに分岐し、続いて上部に向かって互いに近づく１以上の側壁を含む請求項１または２に記載の製造方法。
【請求項４】
前記容器は、２つの対向する円錐またはピラミッドの形態を有する請求項３に記載の製造方法。
【請求項５】
力を受けた際に前記容器が優先的に壊れる脆弱ラインが前記容器内に形成される請求項１乃至４のいずれか１項に記載の製造方法。
【請求項６】
前記脆弱ラインは、壁厚が減少した領域を含む請求項５に記載の製造方法。
【請求項７】
前記容器は、ツールまたは装置によって受け入られる、若しくはツールまたは装置に接続されるように形作られた部分を含み、それにより、造形プレートからの前記容器の取り外しを容易にする、および／またはカプセルに包まれた粉末を放出するために前記容器を開きやすくする請求項１乃至６のいずれか１項に記載の製造方法。
【請求項８】
前記容器の対向する端部のそれぞれに前記部分が設けられる請求項７に記載の製造方法。
【請求項９】
前記部分／または前記各部分は、スパナ、スクリュードライバ、キーまたはレンチと接続するように形作られている請求項７または８に記載の製造方法。
【請求項１０】
複数の容器が単一の造形中に全て製造され、前記複数の容器が１以上のタイプの容器を含み、各タイプの容器は異なるタイプの構造を含む請求項１乃至９のいずれかに１項に記載の製造方法。
【請求項１１】
各容器の１以上のパラメータが実質的に同じである請求項１０に記載の製造方法。
【請求項１２】
前記構造が占める各容器の内部容積の割合は、実質的に同じである請求項１０または１１に記載の製造方法。
【請求項１３】
各容器の前記内部容積は、実質的に同じである請求項１０乃至１２のいずれか１項に記載の製造方法。
【請求項１４】
各容器内の前記構造は、１のクラスの構造的特徴によって占められている請求項１０乃至１３のいずれか１項にに記載の製造方法。
【請求項１５】
各容器内の前記構造は、異なる量の１のクラスの構造的特徴を有する請求項１０乃至１４のいずれか１項に記載の製造方法。
【請求項１６】
各容器内の前記構造は、異なるクラスの構造的特徴によって占められている請求項１０乃至１５のいずれか１項に記載の製造方法。
【請求項１７】
各タイプの容器内の前記複数の構造は、実質的に同じ非支配的な量の１以上の他のクラスの構造的特徴を含む請求項１４乃至１６のいずれか１項に記載の製造方法。
【請求項１８】
異なるタイプの容器内に含まれる前記複数の構造は、それぞれ以下のクラスの構造的特徴、すなわち、複数の薄い部分、複数の厚い部分及び複数の下向きの複数の表面によって占められている請求項１４乃至１７のいずれか１項に記載の製造方法。
【請求項１９】
前記複数の薄い部分は、薄い壁構造である請求項１８に記載の製造方法。
【請求項２０】
複数の薄い部分と複数の厚い部分を有する前記構造的特徴は、実質的に垂直な複数のサイドを有する請求項１８または１９に記載の製造方法。
【請求項２１】
複数の薄い部分は前記ＡＭ機のビーム幅の約１０倍より小さく、複数の厚い部分は前記ＡＭ機のビーム幅の約１０倍より大きい請求項１８乃至２０のいずれか１項に記載の製造方法。
【請求項２２】
複数の薄い部分は、前記ビーム幅の最大８倍であり、複数の厚い部分は、前記ビーム幅の少なくとも１２倍である請求項２１に記載の製造方法。
【請求項２３】
それぞれ異なるタイプの容器内の前記構造は、実質的に垂直な複数の壁、実質的に垂直な複数のロッド及び格子構造、を含むか、またはそれらからなる請求項１８乃至２２のいずれか１項に記載の製造方法。
【請求項２４】
請求項１乃至２３のいずれか１項に記載の方法に従ってＡＭ機に１つまたは複数の容器を造形させるための一連の命令。
【請求項２５】
前記造形のプロセスによって生じた前記粉末の劣化の程度を判定するために、前記容器内の未融解粉末を分析し、そして、前記劣化の程度を使用して、他の造形のプロセスでの粉末の劣化を予測するステップを含む請求項１乃至２３のいずれか１項に記載の製造方法。
【請求項２６】
各容器からの未融解粉末を個別に分析して、前記造形のプロセスによって生じた前記劣化の程度を判定し、少なくともいくつかの前記容器からの前記粉末の劣化の程度を使用して、粉末の劣化を予測する請求項１０に直接的または間接的に従属する請求項２５に記載の製造方法。
【請求項２７】
未融解粉末は、そのバルク酸素含有量を測定することによって分析され、前記造形のプロセスによって生じた未融解粉末の前記劣化の程度を判定する請求項２５または２６に記載の製造方法。
【請求項２８】
１以上の容器からの未融解粉末の分析を使用して、複数のクラスの構造的特徴を含む、または複数のクラスの構造的特徴からなる構造の造形によって生じる劣化率に関する情報を得て、１以上のクラスの構造的特徴の造形に関連する劣化率を導き出す請求項２５または２６に記載の製造方法。
【請求項２９】
造形されるべき物品に含まれる、劣化率が得られた前記複数のクラスの構造的特徴の量または相対量を判定することにより、前記他の造形プのロセスで造形されるべき物品を特徴付け、且つ前記物品を造形することによって生じるであろう前記粉末の劣化の程度を予測するために、これらの量に前記劣化率を適用することを特徴とする請求項２８に記載の製造方法。
【請求項３０】
造形されるべき２つの異なる物品は、前記２つの物品の造形によって生じる相対的な粉末の劣化を予測するように特徴付けられる請求項２９に記載の製造方法。
【請求項３１】
前記物品を異なる配向で造形することにより生じるであろう粉末劣化を予測するために、同じ物品が２以上の異なる造形配向で特徴付けられる請求項２９に記載の製造方法。
【請求項３２】
前記容器または各容器が閉じられており、前記製造方法は、前記容器または各容器を壊して開いて未融解粉末を除去するステップを含む、請求項２５乃至３１のいずれか１項に記載の製造方法。
【請求項３３】
前記ＡＭ機から前記カプセルを除去するステップを含む請求項２に直接または間接的に従属する請求項２５乃至３２のいずれか１項に記載の製造方法。
【手続補正書】
【提出日】令和3年7月15日(2021.7.15)
【手続補正１】
【補正対象書類名】特許請求の範囲
【補正対象項目名】全文
【補正方法】変更
【補正の内容】
【特許請求の範囲】
【請求項１】
タンパク質溶液を濃縮する接線流ろ過（ＴＦＦ）システムであって、
ダイヤフラムポンプアセンブリと濃縮膜を有するＴＦＦユニットであって、前記ＴＦＦユニットは、タンパク質含有溶液からタンパク質を濃縮するように構成されたＴＦＦユニットと、
前記ＴＦＦユニットに動作可能に接続された空気供給アセンブリであって、前記ＴＦＦユニットは、空気流の制御に適合される、空気供給アセンブリと、
前記ＴＦＦユニットに動作可能に接続された流体リザーバアセンブリであって、前記ＴＦＦユニットは、液体流の制御に適合される、流体リザーバアセンブリと、を備えるＴＦＦシステム。
【請求項２】
前記ＴＦＦユニットは、使い捨て可能であり、同じタイプのタンパク質含有溶液の３回までの５０ｍＬ濃縮サイクルの使用に適合される請求項１に記載のＴＦＦシステム。
【請求項３】
前記ＴＦＦユニットは、複数の層を有し、
前記空気供給アセンブリは、１つの端部において前記ＴＦＦユニットと接続され、
前記流体リザーバアセンブリは、反対の端部において前記ＴＦＦユニットと接続される、請求項１に記載のＴＦＦシステム。
【請求項４】
前記ＴＦＦユニットの前記複数の層は、液体流の制御及び空気流の制御のための空気チャネル、流体チャネル、及び流れポートを有し、
前記ダイヤフラムポンプアセンブリ及び前記濃縮膜は、前記複数の層の外側層の間にあり、
チャンバは、前記ダイヤフラムポンプアセンブリと隣接する前記複数の層の間に形成される、請求項３に記載のＴＦＦシステム。
【請求項５】
前記複数の層は、レーザ接合された４つの層を含み、
前記ダイヤフラムポンプアセンブリ及び前記濃縮膜は、前記複数の層の２つの中間層の間にある、請求項４に記載のＴＦＦシステム。
【請求項６】
前記ダイヤフラムポンプアセンブリは、前記流れポートを通ってタンパク質含有溶液を吸引または分配するように構成されたバルブ部品及びダイヤフラム部品を含む、請求項４に記載のＴＦＦシステム。
【請求項７】
前記バルブ部品は、前記ダイヤフラムポンプアセンブリの１つの端部において、３つの空気作動バルブの一群と、前記ダイヤフラムポンプアセンブリの反対の端部において、２つの空気作動バルブの一群とを含む、空気作動バルブの群を有する、請求項６に記載のＴＦＦシステム。
【請求項８】
前記ダイヤフラム部品は、複数のダイヤフラムを含む、請求項６に記載のＴＦＦシステム。
【請求項９】
前記ダイヤフラム部品は、前記バルブ部品より大きいドーム型の部分であるダイヤフラムである請求項７に記載のＴＦＦシステム。
【請求項１０】
前記空気供給アセンブリは、空気供給ユニット及び前記ダイヤフラムポンプアセンブリに前記空気供給ユニットを通って正または負圧を加えるように構成されたソレノイドの塊を含む、請求項６に記載のＴＦＦシステム。
【請求項１１】
前記流体リザーバアセンブリは、タンパク質含有溶液を含むための１つと、緩衝液を含むための他と、の２つの流体リザーバを含む、請求項１に記載のＴＦＦシステム。
【請求項１２】
前記２つの流体リザーバのそれぞれは、液体流コネクタ及び空気流コネクタが取り付けられたキャップを含む、請求項１１に記載のＴＦＦシステム。
【請求項１３】
前記液体流コネクタは、含有液体へ下に延在する２つのチューブを含み、前記２つのチューブの１つは、前記流体リザーバから液体を吸引するために用いられ、前記２つのチューブの他は、前記流体リザーバに液体を戻すために用いられ、前記空気流コネクタは、前記２つの流体リザーバの間で共通である、請求項１２に記載のＴＦＦシステム。
【請求項１４】
さらに前記ＴＦＦユニット、前記空気供給アセンブリ、及び前記流体リザーバアセンブリを保持するためのクランプアセンブリを備える、請求項１に記載のＴＦＦシステム。
【請求項１５】
さらに、前記流体リザーバアセンブリの液体水位を測定するための体積センサ、ろ過生成物を導くように構成された廃棄物スライドと、前記廃棄物スライドに接続され、導かれた前記ろ過生成物を集めるように構成された廃棄物容器と、を備える、請求項１４に記載のＴＦＦシステム。
【請求項１６】
さらに、ユニットホルダとクランプハンドルを備え、
前記ユニットホルダは、前記ＴＦＦユニットを揃えるスロットを有し、
前記クランプハンドルは、前記クランプアセンブリに前記ユニットホルダ及び前記ＴＦＦユニットを押し進めるように構成され、そのため前記ＴＦＦユニットが、前記流体リザーバアセンブリ及び前記空気供給アセンブリと接続され、それらと密閉される、請求項１５に記載のＴＦＦシステム。
【請求項１７】
ＴＦＦシステムを作るための部品を提供するステップであって、前記部品は、使い捨て可能なＴＦＦユニット、流体リザーバアセンブリ、空気供給アセンブリ、及びクランプアセンブリを備える、部品を提供するステップと、
前記部品で前記ＴＦＦシステムを組み立てるステップと、
前記ＴＦＦシステムに接続されたユーザインターフェースを提供するステップと、
前記ユーザインターフェースを用いてろ過プロセスのパラメータを設定するステップと、
前記ろ過プロセスを始めるステップと、を備えるタンパク質溶液を濃縮するための接線流ろ過（ＴＦＦ）システムを作る方法。
【請求項１８】
前記組み立てステップは、前記クランプアセンブリに前記流体リザーバアセンブリを挿入するステップと、前記クランプアセンブリに前記使い捨て可能なＴＦＦユニットを固定するステップと、前記空気供給アセンブリ及び前記流体リザーバアセンブリに前記ＴＦＦ使い捨て可能なユニットを接続するステップと、を備える、請求項１７に記載の方法。
【請求項１９】
さらに、前記流体リザーバアセンブリに、ある量の緩衝液とある量のタンパク質含有溶液を導入するステップを備え、
前記ろ過プロセスは、前記緩衝液で前記ＴＦＦシステムをプライミングするステップと、前記タンパク質含有溶液からタンパク質を濃縮するステップと、を備える、請求項１７に記載の方法。
【請求項２０】
ダイヤフラムポンプアセンブリと濃縮膜を有するＴＦＦユニットであって、前記ＴＦＦユニットは、タンパク質含有溶液からタンパク質を濃縮するように構成されたＴＦＦユニットと、
前記ＴＦＦユニットに動作可能に接続された空気供給アセンブリと、
前記ＴＦＦユニットに動作可能に接続された流体リザーバであって、前記流体リザーバは、緩衝液及びタンパク質含有溶液を含む、流体リザーバと、を備えるＴＦＦシステムを提供するステップと、
前記タンパク質含有溶液を処理するためのポンプシーケンスパラメータを設定するステップと、
プライミングポンプシーケンスを開始することによって、前記タンパク質含有溶液を処理開始するステップと、
濃縮ポンプシーケンスを開始することによって前記タンパク質含有溶液を処理し続けるステップと、
透析ろ過ポンプシーケンスを開始することによって、タンパク質溶液を処理し続けるステップと、
前記タンパク質溶液からタンパク質残余物を集めるステップと、を備える接線流ろ過（ＴＦＦ）によるタンパク質溶液を濃縮する方法。